(57)【要約】ほぼ平行なラインで構成される画像を表示するアナログ表示器（３）と、前記ラインをスキャン速度（Ｖ）によってスキャン方向にスキャンする手段とを有する、画像表示システムである。当該画像表示システムは、更に、第１（ＶＲ）、第２（ＶＧ）及び第３（ＶＢ）マトリックス情報信号を受信する処理エレメント（２）を有する。これらの情報信号（ＶＲ、ＶＧ、ＶＢ）は、複数のピクセルを有するマトリックス表示装置上に、ピクセルサブコンポーネント精度で表示されるのに適しているものである。前記処理エレメント（２）は、前記情報信号（ＶＲ、ＶＧ、ＶＢ）の少なくとも１つの、前記表示器（３）上のレンダリングを、前記情報信号（ＶＲ、ＶＧ、ＶＢ）の他の１つに関してシフトさせるように設計されている。このシフトの結果として、前記情報信号（ＶＲ、ＶＧ、ＶＢ）は、前記アナログ表示器（３）上にサブコンポーネント精度でレンダリングされる。
2005530204.tif 000002
【特許請求の範囲】
【請求項１】
画像表示システムであって、
−  ほぼ平行なラインで構成される画像を表示し、表示スクリーンを有するアナログ表示器；
−  前記ラインを、スキャン速度Ｖによって、スキャン方向にスキャンする手段；及び
−  複数のピクセルを有するマトリックス表示装置上に表示されるのに適している第１、第２及び第３マトリックス情報信号を受信する処理手段であって、各ピクセルは、複数Ｎの有色のピクセルサブコンポーネントと、１つのピクセルに関する情報を伝送するために割り当てられている期間ＴＰとを有し、前記情報信号の少なくとも１つの前記スクリーン上のレンダリングを、前記情報信号の他の１つに関して、Ｖ＊ＴＰ／Ｎに比例する量だけシフトさせるための処理手段、
を有する画像表示システム。
【請求項２】
各ピクセルが、所定順序の赤、緑及び青サブコンポーネントを有し、前記処理手段が、前記緑サブコンポーネントついての情報を含む前記第２情報信号に関して約Ｖ＊ＴＰ／３の量だけ、前記赤サブコンポーネントについての情報を含む前記第１情報信号を反スキャン方向に、及び前記青サブコンポーネントについての情報を含む前記第３情報信号を前記スキャン方向に、シフトさせるように構成されていることを特徴とする、請求項１に記載のシステム。
【請求項３】
前記処理エレメントが、前記第１及び前記第３情報信号を、それぞれ、約−ＴＰ／３及び＋ＴＰ／３の量だけ、前記第２情報信号に関して時間的にシフトするように構成されたタイムシフト手段を有することを特徴とする、請求項２に記載のシステム。
【請求項４】
前記処理エレメントが、
−  コンバージェンス補正信号を供給するコンバージェンス駆動手段、及び
−  前記コンバージェンス補正信号を受信した場合に、
−  前記第１情報信号のスクリーン上のレンダリングを、前記第２情報信号に関して、約Ｖ＊ＴＰ／３の量だけ、前記反スキャン方向に、
−  前記第３情報信号のスクリーン上のレンダリングを、前記第２情報信号に関して、約Ｖ＊ＴＰ／３の量だけ、前記スキャン方向に、
シフトさせる、ラインコンバージェンス調整器、
を有することを特徴とする、請求項２に記載のシステム。
【請求項５】
前記ラインコンバージェンス調整器が、前記駆動手段からの前記補正信号である電流を受信することができる磁気四重極子を有することを特徴とする、請求項４に記載のシステム。
【請求項６】
前記電流をオン／オフに切り換えるスイッチを設けることを特徴とする、請求項５に記載のシステム。
【発明の詳細な説明】
【技術分野】
【０００１】
本発明は、第１、第２及び第３マトリックス情報信号を表示するアナログ表示器を有する画像表示システムであって、該第１、第２及び第３マトリックス情報信号は、複数のピクセルを有するマトリックス表示装置上に表示されるのに適しており、各ピクセルは、複数のカラーピクセルサブコンポーネントと、１ピクセルに関する情報を伝送するために割り当てられた期間とを有する、画像表示システムに関する。
【背景技術】
【０００２】
マトリックス情報信号を、ピクセルサブコンポーネント精度によって、複数のピクセルを含むマトリックス表示器上にレンダリングするシステムは、国際特許出願公報第ＷＯ０１／０９８７３  Ａ１号から知られている。
【発明の開示】
【発明が解決しようとする課題】
【０００３】
ピクセルサブコンポーネント精度を有するマトリックス情報信号を、陰極線管のようなアナログ表示器に供給する場合、該アナログ表示器の表示スクリーンにおける該情報のレンダリングは、ピクセルサブコンポーネント精度を有さない信号が、供給される場合に比べて、劣化している。
【０００４】
本発明の目的は、マトリックス情報信号を、ピクセルサブコンポーネント精度によって、前記表示スクリーン上にレンダリングすることができるシステムを提供することにある。
【課題を解決するための手段】
【０００５】
本発明は、添付請求項の独立請求項によって規定されている。従属請求項は、有利な実施例を規定している。
【０００６】
例えば、マトリックス情報信号であって、繰り返し的なサブピクセル順序ＲＧＢを有するマトリックス表示装置上にピクセルサブコンポーネント精度で情報を表示する該マトリックス情報信号が、１サブコンポーネントの長さに渡ってシフトされている白ピクセルを表す場合、前記マトリックス信号の１つであって、この例における第１信号は、量ＴＰだけ、時間がシフトされている。前記マトリックス表示器上の結果は、ここで、ピクセル順序ＲＧＢの代わりに、順序ＧＢＲのピクセルが、白ドットとして点灯し、１ピクセルサブコンポーネントのシフトが実現されている。これらのマトリックス情報信号を、直接的にアナログ装置に供給する場合、前記第１信号の情報は、第２及び第３信号の情報に対して、量Ｖ＊ＴＰだけスクリーン上でシフトされ、結果として、該情報のレンダリングが劣化する。しかしながら、Ｖ＊ＴＰ／Ｎのシフトを、アナログ表示器に供給される前記マトリックス情報信号に適用する場合、前記第１、第２及び第３情報信号は、平均すると、Ｖ＊ＴＰ／Ｎだけシフトされるので、アナログ表示器のスクリーン上の白ドットも、量Ｖ＊ＴＰ／Ｎだけシフトされる。更に、このシフトは、前記白ドットを作成する前記第１、第２及び第３信号を、ほぼ同時に発生させるので、変色が回避される。より詳細な説明は、実施例の１つにおいて提供されるであろう。
【０００７】
ピクセルサブコンポーネント精度を適用する場合、画像は、より詳細に、シャープに、レンダリングされる。前記画像が、テキストを含む場合、テキストの読みやすさが改善される。前記マトリックス表示器は、３つのサブコンポーネントを有することができるが、より多くのサブコンポーネントを有するバージョンもある。後者の場合、より様々な有色のサブコンポーネントが存在し得る、又は特定色のサブコンポーネントが、前記順序内に１回以上出現し得る。
【０００８】
これは、当該処理エレメントが、前記第１及び前記第３情報信号を、前記第２情報信号に関して、それぞれ約−ＴＰ／３及び＋ＴＰ／３の量だけ時間的にシフトさせるタイムシフト手段を有する場合に、更に有利である。タイムシフト手段を使用することは、従来型のシステムにおいて使用されているコンポーネント及び回路を応用することができるので、費用効果的な解決策である。
【０００９】
これは、前記処理手段が、コンバージェンス補正信号を供給するコンバージェンス駆動手段と、ラインコンバージェンス調整器とを有する場合に、更に有利であり、該ラインコンバージェンス調整器は、前記コンバージェンス補正信号を受信した場合に、
−  前記第１情報信号のスクリーン上のレンダリングを、前記第２情報信号に関して、約Ｖ＊ＴＰ／３の量だけ、反スキャン方向に、
−  前記第３情報信号のスクリーン上のレンダリングを、前記第２情報信号に関して、約Ｖ＊ＴＰ／３の量だけ、前記スキャン方向に、
シフトさせる。
【００１０】
このシフトは、以下で、前記ラインコンバージェンス調整器によって実現可能である。アナログ表示器を有する従来型のシステムにおける前記調整器の基本機能は、コンバージェンスを調整することである。同様の前記調整器が、前記調整器に１つのコンバージェンス補正信号を供給することによって前記スクリーン上のシフトを実現するために、使用されることができる。この実施例において、前記マトリックス情報信号を適応化することは、一般的に、必要ではない。更に、これは、前記シフトを実現化する費用効果的な解決策である。
【００１１】
当該表示システムは、コンピュータ装置とモニタとの組み合わせ、又はビデオ処理装置とモニタ若しくはテレビジョン装置との組み合わせのような、ユニットの組み合わせであることもできる。当該システムは、１つのハウジングにおいて、モニタ及びテレビジョン装置のようなユニットにおいて、又は回路ユニットと組み合わされた表示器において構成されることもできる。
【００１２】
これは、前記処理手段が、
−  前記第１及び前記第３情報信号のスクリーン上のレンダリングを、それぞれ、前記第２情報信号に関して、スキャン方向にシフトさせるラインコンバージェンス調整器、及び
−  前記ラインコンバージェンス調整器に、前記第１及び前記第３情報信号のスクリーン上のレンダリングを、前記第２情報信号に関して、それぞれ約−Ｖ＊ＴＰ／３及び＋Ｖ＊ＴＰ／３の量だけシフトさせるように、コンバージェンス補正信号を供給するのに適しているコンバージェンス駆動手段、
を有する場合に、更に有利である。
【００１３】
前記コンバージェンス調整器を利用することは、結果的に、前記第１及び前記第３情報信号のシフトの費用効果的な実現となる。
【００１４】
これは、前記ラインコンバージェンス調整器が、前記駆動手段からの補正信号として電流を受け取ることができる磁気四重極子を有する場合に、更に有利である。この四重極子は、前記ラインコンバージェンスを適応化するのに使用されており、前記シフトを実現するためにも効果的に使用されることができる。直流電流であって、前記スクリーンの中央において最大値を有し、前記スクリーンの端部に向かって減少する電流を供給する場合、所望のシフトが得られる。
【００１５】
これは、前記電流をオン／オフに切り換えるスイッチが設けられる場合に、更に有利である。ピクセルサブコンポーネント精度によって前記情報をレンダリングするように適応化されたマトリック情報信号を受信する場合、前記電流は、該マトリックス情報信号を、ピクセルサブコンポーネント精度で、前記アナログ表示器においてレンダリングするために、オンに切り換えられることができる。サブコンポーネント精度によって情報をレンダリングするのに適応化されていない、他の信号が受信された場合、前記電流はＯＦＦに切り換えられることができ、これによって、該他の信号の正しいレンダリングを可能にする。前記スイッチは、機械的スイッチ又は電気的スイッチであることができ、ユーザインターフェースを介して、又はサブコンポーネント精度を有するマトリックス情報信号の自動検出を介して、制御されることができる。前記ユーザインターフェースは、前記装置上のボタン、又はリモートコントロール装置を有することもできる。
【発明を実施するための最良の形態】
【００１６】
本発明のこれら及び他の見地は、添付図面を参照して、更に明らかにされ、記載されるであろう。
【００１７】
図１から４を参照して、まず、情報が、マトリックス表示装置上でサブコンポーネント精度によって、どのように表示されることができるのか、及びこれらの信号が、アナログ表示器上でどのように表示されるのかについての、簡単な説明が与えられるであろう。その後、様々な実施例が与えられるであろう。
【００１８】
図１ａ、ｂ及びｃは、ＬＣＤ表示器のような既知のマトリックス表示器の２つの隣接ピクセルを示している。前記ピクセルは、カラーサブコンポーネントの第１トリオ（三つ組）Ｒ１、Ｇ１、Ｂ１、及び第２トリオＲ２、Ｇ２、Ｂ２によって構成されている。前記２つのピクセルは、ピクセルの行内で互いに隣に位置されている。ピクセルサブコンポーネント精度を適用せずに、白ドットは、図１ａに示されている第１トリオＲ１、Ｇ１、Ｂ１を駆動させることによって位置Ｐ１上、又は第２トリオＲ２、Ｇ２、Ｂ２を駆動させることによって、すぐ隣の位置Ｐ２上、のいずれかに作成されることができる。しかしながら、ピクセルサブコンポーネント精度によって情報を表示するように適応化されたマトリックス情報信号を、前記マトリックス表示器に供給する場合、白ドットは、図１ｂに示されている位置Ｐ１Ｇ上にも作成されることができる。位置Ｐ１Ｇは、前記位置Ｐ１に比べて、行方向に、１サブコンポーネントだけシフトされている。これは、カラーサブコンポーネントＧ１、Ｂ１、Ｒ２を駆動することによって達成される。同様に、図１ｃに示されているように、白ドットは、カラーサブコンポーネントＢ１、Ｒ２、Ｇ２を駆動することによって、位置Ｐ１Ｂ上に作成されることができる。従って、ピクセルサブコンポーネント精度によって情報をレンダリングするように適応化されたマトリックス情報信号を、マトリックス表示器に供給することによって、解像度、即ち、言い換えれば、行方向の詳細度を、増加することができる。
【００１９】
前記マトリックス情報がテキストを有する場合、スクリーン上の該テキストの読み易さが改善されることができる。このような場合、この画像は、大抵、白い背景上の黒い文字によって構成されている。サブコンポーネント精度によってレンダリングされることができるフィーチャは、特に、記号の「脚部」の幅、記号の２つの脚部の間の距離、又は２つの記号の間の距離である。
【００２０】
図２、３及び４は、情報をサブコンポーネント精度によって、図１に示されているマトリックス表示器上に表示するように適応化されたマトリックス情報信号ＶＲ、ＶＧ、ＶＢを示している。図２は、マトリックス情報信号ＶＲ、ＶＧ、ＶＢを、位置Ｐ１上に白スポットを作成する時間ｔの関数として、示している。無光出力に対応する電圧レベルは、レベル０によって示されており、一方、最大光出力に対応する電圧レベルは、レベル１によって示されている。カラーサブコンポーネントＲ１、Ｇ１、Ｂ１を駆動することに関連する、全てのマトリックス情報信号ＶＲ、ＶＧ、ＶＢが、期間ＴＰ１の間、レベル１を有している場合、白ドットが、位置Ｐ１上に表示される。同様に、前記サブコンポーネントＲ２、Ｇ２、Ｂ２を駆動することに関連する、期間ＴＰ２の間の前記マトリックス情報信号のレベル０は、黒ドットが、位置Ｐ２上に表示されることを意味する。例えば、白ドットが、位置Ｐ１Ｇ上に表示されるべきである場合、図３による、信号ＶＲ、ＶＧ、ＶＢが供給されるべきである。図３に示されているように、第１マトリックス情報信号ＶＲは、図２における状況と比較して、期間ＴＰ１だけ遅延されている。この効果は、サブコンポーネントＧ１、Ｂ１、Ｒ２が点灯し、この結果、図１に示されている位置Ｐ１Ｇ上の白ドットとなることである。従って、マトリックス表示器上の前記白ドットは、１サブコンポーネントに対応する量だけシフトされている、又は、言い換えれば、白ドットが、マトリックス表示器の行におけるサブコンポート精度によって、位置づけられている。同様に、図４は、図１に示されている位置Ｐ１Ｂ上の白スポットを表示するマトリックス情報信号ＶＲ、ＶＧ、ＶＢを示している。上記の簡単な説明は、従来技術によって、マトリックス情報信号が、マトリックス表示器上に、サブコンポーネント精度によって情報を表示するように、どのように適応化されるのかを説明しているものである。
【００２１】
図２に示されている情報信号ＶＲ、ＶＧ、ＶＢを、陰極線管のようなアナログ表示器３上に供給する場合、白スポットが、該期間ＴＰ１に対応する位置上に、アナログ表示器３のスクリーン上で正確に表示される。
【００２２】
しかしながら、図３に示されている情報信号ＶＲ、ＶＧ、ＶＢをアナログ表示器３に供給する場合、緑及び青のサブコンポーネントを有するドットが、期間ＴＰ１に対応する前記位置上に表示され、このドットの隣に、赤ドットが、前記緑・青ドットに比べて、距離Ｖ＊ＴＰ１だけシフトされた位置上に表示され、ここで、Ｖは、アナログ表示器３上のスキャン方向におけるスキャン速度である。従って、ピクセルサブコンポーネント精度で、マトリックス表示器上に表示されるのに適している前記マトリックス情報は、アナログ表示器３上で正確にレンダリングされない。同様に、図４に示されている前記情報信号ＶＲ、ＶＧ、ＶＢは、アナログ表示器３上で正確にレンダリングされないであろう。青ドットが、期間ＴＰ１に対応する前記位置に見えて、このドットの隣に、前記赤・緑ドットが見えるであろう。
【００２３】
図５に示した第１実施例による表示システムにおいては、処理エレメント２は、図２、３、及び４に示されているマトリックス情報信号ＶＲ、ＶＧ、ＶＢを受け取るために存在し、アナログ表示器３は、表示スクリーン４を有している。信号ＶＲ、ＶＧ、ＶＢは、１ピクセルに関する情報を伝送するために割り当てられた期間ＴＰを有する。処理エレメント２は、第２情報信号ＶＧを遅延させる第１遅延回路１１、及び第３情報信号ＶＢを遅延させる第２遅延回路１２を有する。第１情報信号ＶＲは、処理エレメント２によって遅延されない。遅延されたマトリックス情報信号ＶＲ、ＶＧ、ＶＢである処理エレメント２の出力信号ＶＲ’、ＶＧ’、ＶＢ’は、アナログ表示器３に結合され、該アナログ表示器は陰極線管であり得る。アナログ表示器３は、スキャン方向に延在するほぼ平行なラインで構成される画像を表示する表示スクリーン４を有する。表示器３は、スキャン速度Ｖによってスキャン方向に前記ラインをスキャンすることができる。第１遅延回路１１の遅延時間は、ＴＰ／３である。第２遅延回路１２の遅延時間は、２＊ＴＰ／３である。第２情報信号ＶＧのタイミングを基準に用いる場合、この効果は、該第２情報信号ＶＧに対して、第１情報信号ＶＲが、量ＴＰ／３だけ時間が進められていて、一方で第３情報信号ＶＢは、量ＴＰ／３だけ時間が遅延されているというものである。図２から４に示されている情報信号を上述の処理エレメント２に供給する場合、得られる出力信号ＶＲ’、ＶＧ’、ＶＢ’は、図６から８に示されているタイミングダイヤを有する。図６は、図２による入力信号から得られる出力信号ＶＲ’、ＶＧ’、ＶＢ’を示している。図７は、図３による入力信号から得られる出力信号ＶＲ’、ＶＧ’、ＶＢ’を示している。図８は、図４による入力信号から得られる出力信号ＶＲ’、ＶＧ’、ＶＢ’を示している。図６から８によって分かるように、出力信号ＶＲ’、ＶＧ’、ＶＢ’の中心Ｃは、図６の状況に対して、図７の状況では量ＴＰ／３だけ、及び図８の状況では量２＊ＴＰ／３だけ、シフトされている。図６から８による、出力信号ＶＲ’、ＶＧ’、ＶＢ’を、スクリーン４上に表示する場合、得られる白スポットは、シフトされていない（図６の状況）か、図７の状況において量Ｖ＊ＴＰ／３だけシフトされているか、又は図８の状況において量２＊Ｖ＊ＴＰ／３だけシフトされているかのいずれかである。従って、前記スポットは、図1に示されている位置Ｐ１、Ｐ１Ｇ、及びＰ１Ｂに対応する位置上に、ピクセルサブコンポーネント精度によって、レンダリングされている。
【００２４】
本発明は、３つのカラーサブコンポーネントを有する上述の実施例において説明されたが、複数Ｎのカラーサブコンポーネントが存在する状況に一般化することができる。この場合、マトリックス情報信号ＶＲ、ＶＧ、ＶＢが、Ｎ個の信号を有し、（１つ「中心信号」を除いて）これらのそれぞれが、前記中心信号に対して、ＴＰ／Ｎに比例する量だけ、時間がシフトされるべきである。Ｎ＝３の例に関して上述したような適切なタイムシフトを適用することによって、白スポットは、量Ｖ＊ＴＰ／Ｎだけスクリーン３上でシフトされることができる。
【００２５】
図９に示されている第２実施例においては、当該表示システムは、マットリックス情報信号ＶＲ、ＶＧ、ＶＢを受信する処理エレメント２を有する。前記第１実施例におけるものと同一の符号が、前記第１実施例において記載されたものと類似の機能を有する項目に対して、適用されている。処理エレメント２は、コンバージェンス駆動ユニット３１及びラインコンバージェンス調整器３０を有する。ラインコンバージェンス調整器３０は、アナログ表示器３の首部に取り付けられており、該アナログ表示器３は、表示スクリーン４を有している。処理エレメント２は、出力信号ＶＲ’、ＶＧ’、ＶＢ’をアナログ表示器３に供給する。マトリックス情報信号ＶＲ、ＶＧ、ＶＢの特別な処理は、従来型の表示システムと比較してこの第２実施例においては、何も必要とされないので、処理エレメント２のこの部分については、ここではこれ以上議論しない。コンバージェンス駆動ユニット３１は、コンバージェンス補正信号３２を、ラインコンバージェンス調整器３０に供給する。ラインコンバージェンス調整器３０は、磁気四重極子であり得て、該磁気四重極子は、アナログ表示器３のコンバージェンスを調整する従来型の表示システムによく存在する１以上のコイルを有するものである。補正信号３２を、電流の形態で、図１０に示されているように、前記四重極子のコイル３０に供給することによって、前記コンバージェンスが、図１１に示されるようにシフトされる。図１０に示されている時間ｔの関数としての前記電流は、１ラインをスキャンするために必要である期間ＴＬに渡って示されている。前記電流は、ラインの中央をスキャンする際に最大値を有し、ラインの初め及び終わりに向かって減少する。
【００２６】
図１１に示されている効果は、三原色の赤、緑及び青に関して設計されているアナログ表示器３のスクリーン４上で、緑情報Ｇに対して、赤情報Ｒは左側に（反スキャン方向に）シフトされ、青情報Ｂは右側に（スキャン方向に）シフトされるというものである。従って、例えば、３つの細長い垂直方向の棒線を表す従来型の情報信号が、表示器３に供給された場合、赤、緑及び青色の垂直方向の棒線ＲＧＢの３組が、図１１に示されているように見える。この例から結論付けられるように、補正信号３２は、前記第１実施例で記載されたタイムシフトと同一であるスクリーン上のシフトを作成することができる。
【００２７】
図１２は、前記第２実施例において、サブコンポーネント精度によってレンダリングされることができる情報信号ＶＲ、ＶＧ、ＶＢが、受信されたかどうかに依存して、（補正信号３２である）前記電流をオン／オフに切り換えるスイッチＳが、どのようにして付加されることができるかを示している。スイッチＳは、適切なユーザインターフェースを介してユーザによって作動させられることができるが、自動検出回路を介して作動させられることもでき、該自動検出回路は、サブコンポーネント精度でレンダリングされることができる情報信号ＶＲ、ＶＧ、ＶＢが、存在するかどうかを検出するものである。
【００２８】
上述の実施例は、本発明を限定するよりは解説するものであること、及び当業者であれば添付請求項の範囲から逸脱することなしに、多くの代替的な実施例を設計できることに留意されたい。前記請求項において、括弧内に置かれた如何なる符号も、請求項を限定するようにみなしてはならない。「有する」という語は、請求項に記載されていない構成要素又はステップの存在を排除するものではない。単数形の構成要素は、複数のこのような構成要素を排除するものではない。本発明は、幾つか別個の構成要素を有するハードウェアによって、及び適当にプログラムされたコンピュータによって実施化することができる。いくつかの手段を列挙している装置請求項において、これらの手段のいくつかは１つの同じハードウェアの項目によって、実施化することができる。特定の手段が、相互に異なる従属請求項において引用されているという単なる事実は、これらの手段の組み合わせが有利になるように使用されることができないと示すものではない。
【図面の簡単な説明】
【００２９】
【図１ａ】図１は、本発明によるものではない、複数のピクセルを有する、マトリックス表示装置の模式図である。
【図１ｂ】図１は、本発明によるものではない、複数のピクセルを有する、マトリックス表示装置の模式図である。
【図１ｃ】図１は、本発明によるものではない、複数のピクセルを有する、マトリックス表示装置の模式図である。
【図２】図２は、マトリックス情報信号を示している。
【図３】図３は、マトリックス情報信号を示している。
【図４】図４は、マトリックス情報信号を示している。
【図５】図５は、本発明による表示システムの第１実施例を示している。
【図６】図６は、アナログ表示スクリーン上で、サブコンポーネント精度で表示される出力信号を示している。
【図７】図７は、アナログ表示スクリーン上で、サブコンポーネント精度で表示される出力信号を示している。
【図８】図８は、アナログ表示スクリーン上で、サブコンポーネント精度で表示される出力信号を示している。
【図９】図９は、本発明による表示システムの第２実施例を示している。
【図１０】図１０は、前記第２実施例の補正信号を示している。
【図１１】図１１は、コンバージェンスが、スクリーン上でどのようにシフトされるかを示している。
【図１２】図１２は、前記第２実施例において、スイッチをどのように付加するかを示している。
2005530204.tif 000003
【図２】
2005530204.tif 000004
2005530204.tif 000005
【図５】
2005530204.tif 000006
【図９】
2005530204.tif 000007
2005530204.tif 000008
【図１０】
2005530204.tif 000009
【図１１】
2005530204.tif 000010
【図１２】
2005530204.tif 000011
【国際調査報告】
2005530204.tif 000012
2005530204.tif 000013